【手続補正書】
【提出日】令和3年11月22日(2021.11.22)
【手続補正１】
【補正対象書類名】特許請求の範囲
【補正対象項目名】全文
【補正方法】変更
【補正の内容】
【特許請求の範囲】
【請求項１】
マスタノードによって実行されるユーザ機器（ＵＥ）のための複数のラウンドトリップ時間（ＲＴＴ）を決定するための方法であって、
前記ＵＥに、ダウンリンクサブフレームの１つまたは複数のあらかじめ定義されたシンボルの間に、前記マスタノードによってサポートされるセル上でＲＴＴ測定信号を送ることと、
前記ＵＥから、複数のＲＴＴ測定信号の各々の前記ＵＥにおける到着時間を示す情報を受信すること、ここにおいて、前記複数のＲＴＴ測定信号は、前記ＲＴＴ測定信号と、複数の他のノードによって送信された複数の他のＲＴＴ測定信号とを備える、と、
前記ＵＥから、前記マスタノードによってサポートされるセル上で送られた前記ＲＴＴ測定信号に応じたＲＴＴ応答信号を受信することと、
前記ＲＴＴ応答信号の前記マスタノードにおける到着時間を取得することと、
前記ＲＴＴ応答信号の送信時間を取得することと、
前記複数の他のノードから、前記ＵＥと前記複数の他のノードの各々との間のＲＴＴを示す情報を受信することと、
前記ＲＴＴ測定信号の前記マスタノードにおける送信時間、前記複数のＲＴＴ測定信号の各々の前記ＵＥにおける前記到着時間を表す前記情報、前記ＲＴＴ応答信号の前記マスタノードにおける前記到着時間、前記ＲＴＴ応答信号の前記送信時間、前記ＵＥと前記複数の他のノードの各々との間の前記ＲＴＴを示す前記情報、および前記ＵＥのためのタイミング調整パラメータのうちの少なくとも１つに基づいて、前記ＵＥと前記マスタノードとの間および前記ＵＥと前記複数の他のノードの各々との間のＲＴＴの決定を可能にすることと
を備える、方法。
【請求項２】
前記マスタノードは、前記ＵＥのためのサービング新無線（ＮＲ）ノードＢ（ｇＮＢ）である、
請求項１に記載の方法。
【請求項３】
前記ＵＥに、前記マスタノードおよび前記複数の他のノードが、ダウンリンクサブフレームの複数のあらかじめ定義されたシンボルの間に前記複数のＲＴＴ測定信号を送信することになることを示す制御信号を送ることをさらに備え、
前記制御信号は、前記複数のＲＴＴ測定信号の各々の前記ＵＥにおける前記到着時間を表す前記情報を報告するように前記ＵＥにさらに要求し、
前記ＵＥは、前記ＲＴＴ応答信号のためのペイロード中に前記複数のＲＴＴ測定信号の各々の前記ＵＥにおける前記到着時間を表す前記情報を含め、前記ＵＥから、前記複数のＲＴＴ測定信号の各々の前記ＵＥにおける前記到着時間を表す前記情報を前記受信することは、前記ＲＴＴ応答信号のための前記ペイロードを復号することを備え、
前記複数の他のノードの各ノードは、
前記各ノードによって送信された前記複数の他のＲＴＴ測定信号におけるダウンリンクＲＴＴ測定信号の前記各ノードにおける送信時間と、
前記ＲＴＴ応答信号の前記ペイロード中に含まれる前記複数のＲＴＴ測定信号の各々の前記ＵＥにおける前記到着時間を表す前記情報と、
前記ＲＴＴ応答信号の前記各ノードにおける到着時間と、
前記ＲＴＴ応答信号の送信時間と
に基づいて前記ＵＥと、前記各ノードとの間それぞれのＲＴＴを計算し、前記各ノードは、前記ＲＴＴ応答信号を復調および復号することによって、前記ＲＴＴ応答信号の前記ペイロード中に含まれる前記複数のＲＴＴ測定信号の前記各々の、前記ＵＥにおける前記到着時間を表す前記情報および前記ＲＴＴ応答信号の前記送信時間を決定し、前記ＵＥと、前記各ノードとの間の前記ＲＴＴを表す前記各ノードからの前記マスタノードによって受信された前記情報は、前記計算されたそれぞれのＲＴＴを備える、
請求項２に記載の方法。
【請求項４】
前記複数の他のノードは、前記ＵＥの通信範囲内の近隣基地局を備える、
請求項１に記載の方法。
【請求項５】
前記マスタノードおよび前記複数の他のノードのうちの少なくとも１つは、１つまたは複数の送信ビーム上で前記複数のＲＴＴ測定信号のうちの少なくとも１つを送信し、前記ＵＥは、前記１つまたは複数の送信ビームのうちの少なくとも１つの送信ビームについての識別情報を報告し、前記少なくとも１つの送信ビームについての前記識別情報は、前記ＵＥについての発射角（ＡＯＤ）の決定を可能にする、
請求項１に記載の方法。
【請求項６】
前記マスタノードおよび前記複数の他のノードのうちの少なくとも１つは、１つまたは複数の受信ビーム上で前記ＲＴＴ応答信号を受信し、前記少なくとも１つの受信ビームのための識別情報は、前記ＵＥのための到来角（ＡＯＡ）の決定を可能にする、
請求項１に記載の方法。
【請求項７】
前記マスタノードおよび前記複数の他のノードのうちの少なくとも１つは、複数の受信ビームを利用し、前記複数の受信ビームの数よりも少ないハードウェア受信機チェーンを有する前記複数の他のノードおよび前記マスタノードのうちの少なくとも１つに基づいて、前記ＵＥは、前記マスタノードおよび前記複数の他のノードのうちの少なくとも前記１つが、前記ＵＥから前記ＲＴＴ応答信号を受信するために使用され得る前記複数の受信ビームのすべてを通してシーケンシャルにサイクルすることを可能にするために、前記ＲＴＴ応答信号を複数回送信し、
前記マスタノードは、前記ＲＴＴ応答信号を複数回送信するように前記ＵＥにコマンドを送る、
請求項１に記載の方法。
【請求項８】
前記ＲＴＴ応答信号の前記送信時間を取得することは、
前記ＲＴＴ応答信号のコンテンツに基づいて前記ＲＴＴ応答信号の前記送信時間を決定すること、
前記ＲＴＴ応答信号のメッセージで前記ＲＴＴ応答信号の前記送信時間を受信すること、または
前記マスタノードによって、前記ＲＴＴ応答信号の前記送信時間を決定し、前記ＲＴＴ応答信号の前記送信時間に先立って、前記ＲＴＴ応答信号の前記送信時間を前記ＵＥに送ること
のうちの少なくとも１つを備える、請求項１に記載の方法。
【請求項９】
前記ＵＥと前記マスタノードとの間、および前記ＵＥと前記複数の他のノードの各々との間の前記ＲＴＴの前記決定を前記可能にすることは、前記マスタノードにおいて前記決定を実行することを備える、
請求項１に記載の方法。
【請求項１０】
前記ＵＥと前記マスタノードとの間、および前記ＵＥと前記複数の他のノードの各々との間の前記ＲＴＴの前記決定を前記可能にすることは、ロケーションサーバに、前記ＲＴＴ測定信号の前記マスタノードにおける前記送信時間と、前記複数のＲＴＴ測定信号の各々の前記ＵＥにおける前記到着時間を表す前記情報と、前記ＲＴＴ応答信号の前記マスタノードにおける前記到着時間と、前記ＲＴＴ応答信号の前記送信時間と、前記ＵＥと前記複数の他のノードの各々との間の前記ＲＴＴを表す前記情報と、前記ＵＥのための前記タイミング調整パラメータとのうちの少なくとも１つを送ることを備える、
請求項１に記載の方法。
【請求項１１】
ユーザ機器（ＵＥ）において複数の往復時間（ＲＴＴ）を決定するための方法であって、
複数の基地局に、ＲＴＴ測定信号を複数の基地局に送信すること、ここにおいて、前記複数の基地局の各基地局は、前記各基地局のダウンリンクサブフレームタイミングに対する前記ＲＴＴ測定信号の到着時間を測定する、と、
前記複数の基地局の各基地局から、前記各基地局によって送信されたＲＴＴ応答信号を受信することと、
前記複数の基地局のうちの各基地局から受信された前記ＲＴＴ応答信号のための、前記ＵＥにおける到着時間を取得することと、
前記複数の基地局の各基地局から受信した前記ＲＴＴ応答信号の送信時刻と、前記各基地局が測定した前記ＲＴＴ測定信号の到着時刻とを表す、前記各基地局のための情報を取得することと、
前記ＲＴＴ測定信号の前記ＵＥにおける送信時間と、前記複数の基地局の前記各基地局から受信された前記ＲＴＴ応答信号のための前記ＵＥにおける前記到着時間と、前記各基地局から受信された前記ＲＴＴ応答信号の送信時間と前記各基地局によって測定された前記ＲＴＴ測定信号の前記到着時間とを表す前記複数の基地局の前記各基地局のための前記情報と、前記ＵＥのためのタイミング調整パラメータとに基づいて、前記ＵＥと前記複数の基地局の各基地局との間のＲＴＴを計算することと
を備える、方法。
【請求項１２】
前記ＵＥのためのサービング基地局から、サブフレームのあらかじめ定義されたリソースブロック中に前記ＲＴＴ測定信号を送信するように前記ＵＥに命令する制御信号を受信することをさらに備える、
請求項１１に記載の方法。
【請求項１３】
前記ＵＥのためのサービング基地局から、前記複数の基地局のうちの前記各基地局から受信された前記ＲＴＴ応答信号をスキャンするための命令を受信することをさらに備える、
請求項１１に記載の方法。
【請求項１４】
前記複数の基地局のうちの少なくとも１つの基地局は、前記少なくとも１つの基地局の１つまたは複数の送信ビームの各々上で前記ＲＴＴ応答信号を送信し、
前記少なくとも１つの基地局は、複数の受信ビームを利用し、前記複数の受信ビームの数よりも少ないハードウェア受信機チェーンを有する前記少なくとも１つの基地局に基づいて、前記ＵＥは、前記ＵＥから前記ＲＴＴ測定信号を受信するために前記少なくとも１つの基地局によって使用され得る前記複数の受信ビームのすべてを通して前記少なくとも１つの基地局がシーケンシャルにサイクルすることを可能にするために、前記ＲＴＴ測定信号を複数回送信するためのコマンドを受信する、
請求項１１に記載の方法。
【請求項１５】
前記複数のＲＴＴ測定信号および前記ＲＴＴ応答信号は、低再利用リソース上で送信される、
請求項１１に記載の方法。
【請求項１６】
前記複数の基地局の各基地局は、前記各基地局によって送信された前記ＲＴＴ応答信号のペイロード中に、前記各基地局によって測定された前記ＲＴＴ測定信号の前記到着時間を含め、前記各基地局から受信された前記ＲＴＴ応答信号の前記送信時間と、前記各基地局によって測定された前記ＲＴＴ測定信号の前記到着時間とを表す、前記複数の基地局の前記各基地局のための前記情報を前記取得することは、前記各基地局から受信された前記ＲＴＴ応答信号を復調および復号することを備える、
請求項１１に記載の方法。
【請求項１７】
前記各基地局から受信された前記ＲＴＴ応答信号の前記送信時間と前記各基地局によって測定された前記ＲＴＴ測定信号の前記到着時間とを表す、前記複数の基地局のうちの前記各基地局のための前記情報を取得することは、前記ＵＥのためのサービング基地局から前記複数の基地局のうちの前記各基地局のための前記情報を受信することを備える、
請求項１１に記載の方法。
【請求項１８】
ユーザ機器（ＵＥ）のための複数のラウンドトリップ時間（ＲＴＴ）を決定するための装置であって
前記ＵＥに、ダウンリンクサブフレームの１つまたは複数のあらかじめ定義されたシンボルの間に、マスタノードによってサポートされるセル上でＲＴＴ測定信号を送ることと、
前記ＵＥから、複数のＲＴＴ測定信号の各々の前記ＵＥにおける到着時間を示す情報を受信すること、ここにおいて、前記複数のＲＴＴ測定信号は、前記ＲＴＴ測定信号と、複数の他のノードによって送信された複数の他のＲＴＴ測定信号とを備える、と、
前記ＵＥから、前記マスタノードによってサポートされるセル上で送られた前記ＲＴＴ測定信号に応じたＲＴＴ応答信号を受信することと
を行うように構成された前記マスタノードの通信のための手段と、
前記ＲＴＴ応答信号の前記マスタノードにおける到着時間を取得することと、
前記ＲＴＴ応答信号の送信時間を取得することと
を行うように構成された前記マスタノードの処理のための手段と
を備え、
前記通信するための手段は、前記複数の他のノードから、前記ＵＥと前記複数の他のノードの各々との間のＲＴＴを示す情報を受信することを行うようにさらに構成され
前記処理するための手段は、前記ＲＴＴ測定信号の前記マスタノードにおける送信時間、前記複数のＲＴＴ測定信号の各々の前記ＵＥにおける前記到着時間を表す前記情報、前記ＲＴＴ応答信号の前記マスタノードにおける前記到着時間、前記ＲＴＴ応答信号の前記送信時間、前記ＵＥと前記複数の他のノードの各々との間の前記ＲＴＴを示す前記情報、および前記ＵＥのためのタイミング調整パラメータのうちの少なくとも１つに基づいて、前記ＵＥと前記マスタノードとの間および前記ＵＥと前記複数の他のノードの各々との間のＲＴＴの決定を可能にすることを行うようにさらに構成される、
装置。
【請求項１９】
ユーザ機器（ＵＥ）における複数のラウンドトリップ時間（ＲＴＴ）を決定するための装置であって、
複数の基地局に、ＲＴＴ測定信号を複数の基地局に送信すること、ここにおいて、前記複数の基地局の各基地局は、前記各基地局のダウンリンクサブフレームタイミングに対する前記ＲＴＴ測定信号の到着時間を測定する、と、
前記複数の基地局の各基地局から、前記各基地局によって送信されたＲＴＴ応答信号を受信することと
を行うように構成された前記ＵＥの通信のための手段と、
前記複数の基地局のうちの各基地局から受信された前記ＲＴＴ応答信号のための、前記ＵＥにおける到着時間を取得することと、
前記複数の基地局の各基地局から受信した前記ＲＴＴ応答信号の送信時刻と、前記各基地局が測定した前記ＲＴＴ測定信号の到着時刻とを表す、前記各基地局のための情報を取得することと、
前記ＲＴＴ測定信号の前記ＵＥにおける送信時間と、前記複数の基地局の前記各基地局から受信された前記ＲＴＴ応答信号のための前記ＵＥにおける前記到着時間と、前記各基地局から受信された前記ＲＴＴ応答信号の送信時間と前記各基地局によって測定された前記ＲＴＴ測定信号の前記到着時間とを表す前記複数の基地局の前記各基地局のための前記情報と、前記ＵＥのためのタイミング調整パラメータとに基づいて、前記ＵＥと前記複数の基地局の各基地局との間のＲＴＴを計算することと
を行うように構成された前記ＵＥの処理のための手段と
を備える、装置。
【請求項２０】
コンピュータによって実行されると、前記コンピュータに、請求項１乃至１０のいずれか１項に記載の方法を実行させる、ユーザ機器（ＵＥ）のための複数のラウンドトリップ時間（ＲＴＴ）を決定するためのコンピュータ実行可能命令を記憶する非一時的コンピュータ可読媒体。
【請求項２１】
コンピュータによって実行されると、前記コンピュータに、請求項１１乃至１７のいずれか１項に記載の方法を実行させる、ユーザ機器（ＵＥ）における複数のラウンドトリップ時間（ＲＴＴ）を決定するためのコンピュータ実行可能命令を記憶する非一時的コンピュータ可読媒体。
【手続補正２】
【補正対象書類名】明細書
【補正対象項目名】０１４３
【補正方法】変更
【補正の内容】
【０１４３】
[00154]前述の開示は本開示の例示的な態様を示すが、添付の特許請求の範囲によって定義される本開示の範囲から逸脱することなく、ここで様々な変更および修正が成されることができることに留意されたい。本明細書に説明された本開示の態様にかかる方法の請求項の機能、ステップ、および／またはアクションは、特定の順序で実行される必要はない。さらに、本開示の要素は、単数形で説明され得るまたは特許請求され得るが、単数形への限定が明記されていない限り、複数形が考慮されている。
以下に、本願出願の当初の特許請求の範囲に記載された発明を付記する。
［Ｃ１］
マスタノードによって実行されるユーザ機器（ＵＥ）のための複数のラウンドトリップ時間（ＲＴＴ）を決定するための方法であって、
前記ＵＥに、ダウンリンクサブフレームの１つまたは複数のあらかじめ定義されたシンボルの間に、前記マスタノードによってサポートされるセル上でＲＴＴ測定信号を送ることと、
前記ＵＥから、複数のＲＴＴ測定信号の各々の前記ＵＥにおける到着時間を示す情報を受信すること、ここにおいて、前記複数のＲＴＴ測定信号は、前記ＲＴＴ測定信号と、複数の他のノードによって送信された複数の他のＲＴＴ測定信号とを備える、と、
前記ＵＥから、ＲＴＴ応答信号を受信することと、
前記ＲＴＴ応答信号の前記マスタノードにおける到着時間を取得することと、
前記ＲＴＴ応答信号の送信時間を取得することと、
前記複数の他のノードから、前記ＵＥと前記複数の他のノードの各々との間のＲＴＴを示す情報を受信することと、
前記ＲＴＴ測定信号の前記マスタノードにおける送信時間、前記複数のＲＴＴ測定信号の各々の前記ＵＥにおける前記到着時間を表す前記情報、前記ＲＴＴ応答信号の前記マスタノードにおける前記到着時間、前記ＲＴＴ応答信号の前記送信時間、前記ＵＥと前記複数の他のノードの各々との間の前記ＲＴＴを示す前記情報、および前記ＵＥのためのタイミング調整パラメータのうちの少なくとも１つに基づいて、前記ＵＥと前記マスタノードとの間および前記ＵＥと前記複数の他のノードの各々との間のＲＴＴの決定を可能にすることと
を備える、方法。
［Ｃ２］
前記マスタノードは、前記ＵＥのためのサービング新無線（ＮＲ）ノードＢ（ｇＮＢ）である、
［Ｃ１］に記載の方法。
［Ｃ３］
前記ＵＥに、前記マスタノードおよび前記複数の他のノードが、ダウンリンクサブフレームの複数のあらかじめ定義されたシンボルの間に前記複数のＲＴＴ測定信号を送信することになることを示す制御信号を送ることをさらに備える、
［Ｃ２］に記載の方法。
［Ｃ４］
前記制御信号は、前記複数のＲＴＴ測定信号の各々の前記ＵＥにおける前記到着時間を表す前記情報を報告するように前記ＵＥにさらに要求する、
［Ｃ３］に記載の方法。
［Ｃ５］
前記ＵＥは、前記ＲＴＴ応答信号のためのペイロード中に前記複数のＲＴＴ測定信号の各々の前記ＵＥにおける前記到着時間を表す前記情報を含め、前記ＵＥから、前記複数のＲＴＴ測定信号の各々の前記ＵＥにおける前記到着時間を表す前記情報を前記受信することは、前記ＲＴＴ応答信号のための前記ペイロードを復号することを備える、
［Ｃ４］に記載の方法。
［Ｃ６］
前記複数の他のノードの各ノードは、
前記各ノードによって送信された前記複数の他のＲＴＴ測定信号におけるダウンリンクＲＴＴ測定信号の前記各ノードにおける送信時間と、
前記ＲＴＴ応答信号の前記ペイロード中に含まれる前記複数のＲＴＴ測定信号の各々の前記ＵＥにおける前記到着時間を表す前記情報と、
前記ＲＴＴ応答信号の前記各ノードにおける到着時間と、
前記ＲＴＴ応答信号の送信時間と
に基づいて前記ＵＥと、前記各ノードとの間それぞれのＲＴＴを計算し、前記各ノードは、前記ＲＴＴ応答信号を復調および復号することによって、前記ＲＴＴ応答信号の前記ペイロード中に含まれる前記複数のＲＴＴ測定信号の前記各々の、前記ＵＥにおける前記到着時間を表す前記情報および前記ＲＴＴ応答信号の前記送信時間を決定し、前記ＵＥと、前記各ノードとの間の前記ＲＴＴを表す前記各ノードからの前記マスターノードによって受信された前記情報は、前記計算されたそれぞれのＲＴＴを備える、
［Ｃ５］に記載の方法。
［Ｃ７］
前記マスタノードは、物理ダウンリンク制御チャネル（ＰＤＣＣＨ）上で前記制御信号を送る、
［Ｃ３］に記載の方法。
［Ｃ８］
前記複数の他のノードは、前記ＵＥの通信範囲内の近隣基地局を備える、
［Ｃ１］に記載の方法。
［Ｃ９］
前記ＵＥに前記タイミング調整パラメータを送ること、または前記ＵＥから前記タイミング調整パラメータを受信することをさらに備える、
［Ｃ１］に記載の方法。
［Ｃ１０］
前記ＵＥは、物理アップリンク共有チャネル（ＰＵＳＣＨ）上で前記ＲＴＴ応答信号を送る、
［Ｃ１］に記載の方法。
［Ｃ１１］
前記複数のＲＴＴ測定信号は、広帯域信号を備える、
［Ｃ１］に記載の方法。
［Ｃ１２］
前記複数のＲＴＴ測定信号および前記ＲＴＴ応答信号は、低再利用リソース上で送信される、
［Ｃ１］に記載の方法。
［Ｃ１３］
前記マスタノードおよび前記複数の他のノードのうちの少なくとも１つは、１つまたは複数の送信ビーム上で前記複数のＲＴＴ測定信号のうちの少なくとも１つを送信し、前記ＵＥは、前記１つまたは複数の送信ビームのうちの少なくとも１つの送信ビームについての識別情報を報告し、前記少なくとも１つの送信ビームについての前記識別情報は、前記ＵＥについての発射角（ＡＯＤ）の決定を可能にする、
［Ｃ１］に記載の方法。
［Ｃ１４］
前記マスタノードおよび前記複数の他のノードのうちの少なくとも１つは、１つまたは複数の受信ビーム上で前記ＲＴＴ応答信号を受信し、前記少なくとも１つの受信ビームのための識別情報は、前記ＵＥのための到来角（ＡＯＡ）の決定を可能にする、
［Ｃ１］に記載の方法。
［Ｃ１５］
前記マスタノードおよび前記複数の他のノードのうちの少なくとも１つは、複数の受信ビームを利用し、前記複数の受信ビームの数よりも少ないハードウェア受信機チェーンを有する前記複数の他のノードおよび前記マスタノードのうちの少なくとも１つに基づいて、前記ＵＥは、前記マスタノードおよび前記複数の他のノードのうちの少なくとも前記１つが、前記ＵＥから前記ＲＴＴ応答を受信するために使用され得る前記複数の受信ビームのすべてを通してシーケンシャルにサイクルすることを可能にするために、前記ＲＴＴ応答信号を複数回送信する、
［Ｃ１］に記載の方法。
［Ｃ１６］
前記マスタノードは、前記ＲＴＴ応答信号を複数回送信するように前記ＵＥにコマンドを送る、
［Ｃ１５］に記載の方法。
［Ｃ１７］
前記ＵＥと前記複数の他のノードの各々との間の前記ＲＴＴを表す前記情報は、前記複数の他のノードによって送信された前記複数のＲＴＴ測定信号の各々の送信時間を表す情報と、前記複数の他のノードの各々における前記ＲＴＴ応答信号の到着時間を表す情報とを備える、
［Ｃ１］に記載の方法。
［Ｃ１８］
前記ＲＴＴ応答信号の前記送信時間を取得することは、
前記ＲＴＴ応答信号のコンテンツに基づいて前記ＲＴＴ応答信号の前記送信時間を決定すること、
前記ＲＴＴ応答信号ののメッセージで前記ＲＴＴ応答信号の前記送信時間を受信すること、または
前記マスタノードによって、前記ＲＴＴ応答信号の前記送信時間を決定し、前記ＲＴＴ応答信号の前記送信時間に先立って、前記ＲＴＴ応答信号の前記送信時間を前記ＵＥに送ること
のうちの少なくとも１つを備える、［Ｃ１］に記載の方法。
［Ｃ１９］
前記ＵＥと前記マスタノードとの間、および前記ＵＥと前記複数の他のノードの各々との間の前記ＲＴＴの前記決定を前記可能にすることは、前記マスタノードにおいて前記決定を実行することを備える、
［Ｃ１］に記載の方法。
［Ｃ２０］
前記ＵＥと前記マスタノードとの間、および前記ＵＥと前記複数の他のノードの各々との間の前記ＲＴＴの前記決定を前記可能にすることは、ロケーションサーバに、前記ＲＴＴ測定信号の前記マスタノードにおける前記送信時間と、前記複数のＲＴＴ測定信号の各々の前記ＵＥにおける前記到着時間を表す前記情報と、前記ＲＴＴ応答信号の前記マスタノードにおける前記到着時間と、前記ＲＴＴ応答信号の前記送信時間と、前記ＵＥと前記複数の他のノードの各々との間の前記ＲＴＴを表す前記情報と、前記ＵＥのための前記タイミング調整パラメータとのうちの少なくとも１つを送ることを備える、
［Ｃ１］に記載の方法。
［Ｃ２１］
ユーザ機器（ＵＥ）において複数の往復時間（ＲＴＴ）を決定するための方法であって、
複数の基地局に、ＲＴＴ測定信号を複数の基地局に送信すること、ここにおいて、前記複数の基地局の各基地局は、前記各基地局のダウンリンクサブフレームタイミングに対する前記ＲＴＴ測定信号の到着時間を測定する、と、
前記複数の基地局の各基地局から、前記各基地局によって送信されたＲＴＴ応答信号を受信することと、
前記複数の基地局のうちの各基地局から受信された前記ＲＴＴ応答信号のための、前記ＵＥにおける到着時間を取得することと、
前記複数の基地局の各基地局から受信した前記ＲＴＴ応答信号の送信時刻と、前記各基地局が測定した前記ＲＴＴ測定信号の到着時刻とを表す、前記各基地局のための情報を取得することと、
前記ＲＴＴ測定信号の前記ＵＥにおける送信時間と、前記複数の基地局の前記各基地局から受信された前記ＲＴＴ応答信号のための前記ＵＥにおける前記到着時間と、前記各基地局から受信された前記ＲＴＴ応答信号の送信時間と前記各基地局によって測定された前記ＲＴＴ測定信号の前記到着時間とを表す前記複数の基地局の前記各基地局のための前記情報と、前記ＵＥのためのタイミング調整パラメータとに基づいて、前記ＵＥと前記複数の基地局の各基地局との間のＲＴＴを計算することと
を備える、方法。
［Ｃ２２］
前記ＵＥのためのサービング基地局から、サブフレームのあらかじめ定義されたリソースブロック中に前記ＲＴＴ測定信号を送信するように前記ＵＥに命令する制御信号を受信することをさらに備える、
［Ｃ２１］に記載の方法。
［Ｃ２３］
前記ＵＥは、物理ダウンリンク制御チャネル（ＰＤＣＣＨ）上で前記制御信号を受信する、
［Ｃ２２］に記載の方法。
［Ｃ２４］
前記ＵＥのためのサービング基地局から、前記複数の基地局のうちの前記各基地局から受信された前記ＲＴＴ応答信号をスキャンするための命令を受信することをさらに備える、
［Ｃ２１］に記載の方法。
［Ｃ２５］
前記ＵＥは、前記ＵＥのためのサービング基地局から前記タイミング調整パラメータを受信する、
［Ｃ２１］に記載の方法。
［Ｃ２６］
前記ＵＥは、物理アップリンク共有チャネル（ＰＵＳＣＨ）上で前記ＲＴＴ測定信号を送信する、
［Ｃ２１］に記載の方法。
［Ｃ２７］
前記複数の基地局は、前記ＵＥの通信範囲内の近隣基地局を備える、
［Ｃ２１］に記載の方法。
［Ｃ２８］
前記ＲＴＴ測定信号は、広帯域信号を備える、
［Ｃ２１］に記載の方法。
［Ｃ２９］
前記複数の基地局のうちの少なくとも１つの基地局は、前記少なくとも１つの基地局の１つまたは複数の送信ビームの各々上で前記ＲＴＴ応答信号を送信する、
［Ｃ２１］に記載の方法。
［Ｃ３０］
前記複数の基地局のうちの少なくとも１つの基地局は、前記少なくとも１つの基地局の１つまたは複数の送信ビームの各々上で前記ＲＴＴ応答信号を送信する、
［Ｃ２１］に記載の方法。
［Ｃ３１］
前記少なくとも１つの基地局は、複数の受信ビームを利用し、前記複数の受信ビームの数よりも少ないハードウェア受信機チェーンを有する前記少なくとも１つの基地局に基づいて、前記ＵＥは、前記ＵＥから前記ＲＴＴ測定信号を受信するために前記少なくとも１つの基地局によって使用され得る前記複数の受信ビームのすべてを通して前記少なくとも１つの基地局がシーケンシャルにサイクルすることを可能にするために、前記ＲＴＴ測定信号を複数回送信するためのコマンドを受信する、
［Ｃ３０］に記載の方法。
［Ｃ３２］
前記複数のＲＴＴ測定信号および前記ＲＴＴ応答信号は、低再利用リソース上で送信される、
［Ｃ２１］に記載の方法。
［Ｃ３３］
前記複数の基地局の各基地局は、前記各基地局によって送信された前記ＲＴＴ応答信号のペイロード中に、前記各基地局によって測定された前記ＲＴＴ測定信号の前記到着時間を含め、前記各基地局から受信された前記ＲＴＴ応答信号の前記送信時間と、前記各基地局によって測定された前記ＲＴＴ測定信号の前記到着時間とを表す、前記複数の基地局の前記各基地局のための前記情報を前記取得することは、前記各基地局から受信された前記ＲＴＴ応答信号を復調および復号することを備える、
［Ｃ２１］に記載の方法。
［Ｃ３４］
前記各基地局から受信された前記ＲＴＴ応答信号の前記送信時間と前記各基地局によって測定された前記ＲＴＴ測定信号の前記到着時間とを表す、前記複数の基地局のうちの前記各基地局のための前記情報を取得することは、前記ＵＥのためのサービング基地局から前記複数の基地局のうちの前記各基地局のための前記情報を受信することを備える、
［Ｃ２１］に記載の方法。
［Ｃ３５］
ユーザ機器（ＵＥ）のための複数のラウンドトリップ時間（ＲＴＴ）を決定するための装置であって
前記ＵＥに、ダウンリンクサブフレームの１つまたは複数のあらかじめ定義されたシンボルの間に、前記マスタノードによってサポートされるセル上でＲＴＴ測定信号を送ることと、
前記ＵＥから、複数のＲＴＴ測定信号の各々の前記ＵＥにおける到着時間を示す情報を受信すること、ここにおいて、前記複数のＲＴＴ測定信号は、前記ＲＴＴ測定信号と、複数の他のノードによって送信された複数の他のＲＴＴ測定信号とを備える、と、
前記ＵＥから、ＲＴＴ応答信号を受信することと
を行うように構成されるマスタノードの通信デバイスと、
前記ＲＴＴ応答信号の前記マスタノードにおける到着時間を取得することと、
前記ＲＴＴ応答信号の送信時間を取得することと
を行うように構成される前記マスタノードの少なくとも１つのプロセッサと
を備え、
前記通信デバイスは、前記複数の他のノードから、前記ＵＥと前記複数の他のノードの各々との間のＲＴＴを示す情報を受信することを行うようにさらに構成され、
前記少なくとも１つのプロセッサは、前記ＲＴＴ測定信号の前記マスタノードにおける送信時間、前記複数のＲＴＴ測定信号の各々の前記ＵＥにおける前記到着時間を表す前記情報、前記ＲＴＴ応答信号の前記マスタノードにおける前記到着時間、前記ＲＴＴ応答信号の前記送信時間、前記ＵＥと前記複数の他のノードの各々との間の前記ＲＴＴを表す前記情報、および前記ＵＥのためのタイミング調整パラメータのうちの少なくとも１つに基づいて、前記ＵＥと前記マスタノードとの間および前記ＵＥと前記複数の他のノードの各々との間のＲＴＴの決定を可能にすることを行うようにさらに構成される、
装置。
［Ｃ３６］
前記マスタノードは、前記ＵＥのためのサービング新無線（ＮＲ）ノードＢ（ｇＮＢ）である、
［Ｃ３５］に記載の装置。
［Ｃ３７］
前記通信デバイスは、前記ＵＥに、前記マスタノードおよび前記複数の他のノードが、ダウンリンクサブフレームの複数のあらかじめ定義されたシンボルの間に前記複数のＲＴＴ測定信号を送信することになることを示す制御信号を送ることを行うようにさらに構成される、
［Ｃ３６］に記載の装置。
［Ｃ３８］
前記制御信号は、前記複数のＲＴＴ測定信号の各々の前記ＵＥにおける前記到着時間を表す前記情報を報告するように前記ＵＥにさらに要求する、
［Ｃ３７］に記載の装置。
［Ｃ３９］
前記ＵＥは、前記ＲＴＴ応答信号のためのペイロード中に前記複数のＲＴＴ測定信号の各々の前記ＵＥにおける前記到着時間を表す前記情報を含め、前記ＵＥから、前記複数のＲＴＴ測定信号の各々の前記ＵＥにおける前記到着時間を表す前記情報を受信することを行うように構成された前記通信デバイスは、前記ＲＴＴ応答信号のための前記ペイロードを復号することを行うように構成された前記通信デバイスを備える、
［Ｃ３８］に記載の装置。
［Ｃ４０］
前記複数の他のノードの各ノードは、
前記各ノードによって送信された前記複数の他のＲＴＴ測定信号におけるダウンリンクＲＴＴ測定信号の前記各ノードにおける送信時間と、
前記ＲＴＴ応答信号のペイロードに含まれる前記複数のＲＴＴ測定信号の各々の前記ＵＥにおける前記到着時間を表す前記情報と、
前記ＲＴＴ応答信号の前記各ノードにおける到着時間と、
前記ＲＴＴ応答信号の送信時間と
に基づいて前記ＵＥと、前記各ノードとの間それぞれのＲＴＴを計算し、前記各ノードは、前記ＲＴＴ応答信号を復調および復号することによって、前記ＲＴＴ応答信号の前記ペイロード中に含まれる前記複数のＲＴＴ測定信号の前記各々の、前記ＵＥにおける前記到着時間を表す前記情報および前記ＲＴＴ応答信号の前記送信時間を決定し、前記ＵＥと、前記各ノードとの間の前記ＲＴＴを表す前記各ノードからの前記マスターノードによって受信された前記情報は、前記計算されたそれぞれのＲＴＴを備える、
［Ｃ３９］に記載の装置。
［Ｃ４１］
前記通信デバイスは、物理ダウンリンク制御チャネル（ＰＤＣＣＨ）上で前記制御信号を送る、
［Ｃ３７］に記載の装置。
［Ｃ４２］
前記複数の他のノードは、前記ＵＥの通信範囲内の近隣基地局を備える、
［Ｃ３５］に記載の装置。
［Ｃ４３］
前記通信デバイスは、前記ＵＥに前記タイミング調整パラメータを送る、または前記ＵＥから前記タイミング調整パラメータを受信することを行うようにさらに構成される、
［Ｃ３５］に記載の装置。
［Ｃ４４］
前記通信デバイスは、物理アップリンク共有チャネル（ＰＵＳＣＨ）上で前記ＲＴＴ応答信号を受信する、
［Ｃ３５］に記載の装置。
［Ｃ４５］
前記複数のＲＴＴ測定信号は、広帯域信号を備える、
［Ｃ３５］に記載の装置。
［Ｃ４６］
前記複数のＲＴＴ測定信号および前記ＲＴＴ応答信号は、低再利用リソース上で送信される、
［Ｃ３５］に記載の装置。
［Ｃ４７］
前記マスタノードおよび前記複数の他のノードのうちの少なくとも１つは、１つまたは複数の送信ビーム上で前記複数のＲＴＴ測定信号のうちの少なくとも１つを送信し、前記ＵＥは、前記１つまたは複数の送信ビームのうちの少なくとも１つの送信ビームについての識別情報を報告し、前記少なくとも１つの送信ビームについての前記識別情報は、前記ＵＥについての発射角（ＡＯＤ）の決定を可能にする、
［Ｃ３５］に記載の装置。
［Ｃ４８］
前記マスタノードおよび前記複数の他のノードのうちの少なくとも１つは、１つまたは複数の受信ビーム上で前記ＲＴＴ応答信号を受信し、前記少なくとも１つの受信ビームのための識別情報は、前記ＵＥのための到来角（ＡＯＡ）の決定を可能にする、
［Ｃ３５］に記載の装置。
［Ｃ４９］
前記マスタノードおよび前記複数の他のノードのうちの少なくとも１つは、複数の受信ビームを利用し、前記複数の受信ビームの数よりも少ないハードウェア受信機チェーンを有する前記複数の他のノードおよび前記マスタノードのうちの少なくとも１つに基づいて、前記ＵＥは、前記マスタノードおよび前記複数の他のノードのうちの少なくとも１つが、前記ＵＥから前記ＲＴＴ応答を受信するために使用され得る前記複数の受信ビームのすべてを通してシーケンシャルにサイクルすることを可能にするために、前記ＲＴＴ応答信号を複数回送信する、
［Ｃ３５］に記載の装置。
［Ｃ５０］
前記マスタノードは、前記ＲＴＴ応答信号を複数回送信するように前記ＵＥにコマンドを送る、
［Ｃ４９］に記載の装置。
［Ｃ５１］
前記ＵＥと前記複数の他のノードの各々との間の前記ＲＴＴを表す前記情報は、前記複数の他のノードによって送信された前記複数のＲＴＴ測定信号の各々の送信時間を表す情報と、前記複数の他のノードの各々における前記ＲＴＴ応答信号の到着時間を表す情報とを備える、
［Ｃ３５］に記載の装置。
［Ｃ５２］
前記ＲＴＴ応答信号の前記送信時間を取得するように構成された前記少なくとも１つのプロセッサは、
前記ＲＴＴ応答信号の内容に基づいて、前記ＲＴＴ応答信号の前記送信時間を決定すること、
前記ＲＴＴ応答信号ののメッセージで前記ＲＴＴ応答信号の前記送信時間を受信すること、または
前記マスタノードによって、前記ＲＴＴ応答信号の前記送信時間を決定し、前記ＲＴＴ応答信号の前記送信時間に先立って、前記ＲＴＴ応答信号の前記送信時間を前記ＵＥに送ること
のうちの少なくとも１つを行うように構成する前記少なくとも１つのプロセッサを備える、［Ｃ３５］に記載の装置。
［Ｃ５３］
前記ＵＥと前記マスタノードとの間、および前記ＵＥと前記複数の他のノードの各々との間の前記ＲＴＴの前記決定を可能にすることを行うように構成された前記少なくとも１つのプロセッサは、前記決定を実行することを行うように構成された前記少なくとも１つのプロセッサを備える、
［Ｃ３５］に記載の装置。
［Ｃ５４］
前記ＵＥと前記マスタノードとの間、および前記ＵＥと前記複数の他のノードの各々との間の前記ＲＴＴの前記決定を前記可能にすることを行うように構成された少なくとも１つのプロセッサは、ロケーションサーバに、前記ＲＴＴ測定信号の前記マスタノードにおける前記送信時間と、前記複数のＲＴＴ測定信号の各々の前記ＵＥにおける前記到着時間を表す前記情報と、前記ＲＴＴ応答信号の前記マスタノードにおける前記到着時間と、前記ＲＴＴ応答信号の前記送信時間と、前記ＵＥと前記複数の他のノードの各々との間の前記ＲＴＴを表す前記情報と、前記ＵＥのための前記タイミング調整パラメータとのうちの少なくとも１つを送るように前記通信デバイスに指示することを行うように構成された前記少なくとも１つのプロセッサを備える、
［Ｃ３５］に記載の装置。
［Ｃ５５］
ユーザ機器（ＵＥ）における複数のラウンドトリップ時間（ＲＴＴ）を決定するための装置であって
複数の基地局に、ＲＴＴ測定信号を複数の基地局に送信すること、ここにおいて、前記複数の基地局の各基地局は、前記各基地局のダウンリンクサブフレームタイミングに対する前記ＲＴＴ測定信号の到着時間を測定する、と、
前記複数の基地局の各基地局から、前記各基地局によって送信されたＲＴＴ応答信号を受信することと
を行うように構成された前記ＵＥのトランシーバと、
前記複数の基地局のうちの各基地局から受信された前記ＲＴＴ応答信号のための、前記ＵＥにおける到着時間を取得することと、
前記複数の基地局の各基地局から受信した前記ＲＴＴ応答信号の送信時刻と、前記各基地局が測定した前記ＲＴＴ測定信号の到着時刻とを表す、前記各基地局のための情報を取得することと、
前記ＲＴＴ測定信号の前記ＵＥにおける送信時間と、前記複数の基地局の前記各基地局から受信された前記ＲＴＴ応答信号のための前記ＵＥにおける前記到着時間と、前記各基地局から受信された前記ＲＴＴ応答信号の送信時間と前記各基地局によって測定された前記ＲＴＴ測定信号の前記到着時間とを表す前記複数の基地局の前記各基地局のための前記情報と、前記ＵＥのためのタイミング調整パラメータとに基づいて、前記ＵＥと前記複数の基地局の各基地局との間のＲＴＴを計算することと
を行うように構成された前記ＵＥの少なくとも１つのプロセッサと
を備える、装置。
［Ｃ５６］
前記トランシーバは、前記ＵＥのためのサービング基地局から、サブフレームのあらかじめ定義されたリソースブロックの間に前記ＲＴＴ測定信号を送信するように前記ＵＥに命令する制御信号を受信することを行うようにさらに構成される、
［Ｃ５５］に記載の装置。
［Ｃ５７］
前記トランシーバは、物理ダウンリンク制御チャネル（ＰＤＣＣＨ）上で前記制御信号を受信する、
［Ｃ５６］に記載の装置。
［Ｃ５８］
前記トランシーバは、前記ＵＥのためのサービング基地局から、前記複数の基地局のうちの前記各基地局から受信された前記ＲＴＴ応答信号をスキャンするための命令を受信することを行うようにさらに構成される、
［Ｃ５５］に記載の装置。
［Ｃ５９］
前記ＵＥは、前記ＵＥのためのサービング基地局から前記タイミング調整パラメータを受信する、
［Ｃ５５］に記載の装置。
［Ｃ６０］
前記ＵＥは、物理アップリンク共有チャネル（ＰＵＳＣＨ）上で前記ＲＴＴ測定信号を送信する、
［Ｃ５５］に記載の装置。
［Ｃ６１］
前記複数の基地局は、前記ＵＥの通信範囲内の近隣基地局である、
［Ｃ５５］に記載の装置。
［Ｃ６２］
前記ＲＴＴ測定信号は、広帯域信号を備える、
［Ｃ５５］に記載の装置。
［Ｃ６３］
前記複数の基地局のうちの少なくとも１つの基地局は、前記少なくとも１つの基地局の１つまたは複数の送信ビームの各々上で前記ＲＴＴ応答信号を送信する、
［Ｃ５５］に記載の装置。
［Ｃ６４］
前記複数の基地局のうちの少なくとも１つの基地局は、前記少なくとも１つの基地局の１つまたは複数の送信ビームの各々上で前記ＲＴＴ応答信号を送信する、
［Ｃ５５］に記載の装置。
［Ｃ６５］
前記少なくとも１つの基地局は、複数の受信ビームを利用し、前記複数の受信ビームの数よりも少ないハードウェア受信機チェーンを有する前記少なくとも１つの基地局に基づいて、前記ＵＥは、前記ＵＥから前記ＲＴＴ測定信号を受信するために前記少なくとも１つの基地局によって使用され得る前記複数の受信ビームのすべてを通して前記少なくとも１つの基地局がシーケンシャルにサイクルすることを可能にするために、前記ＲＴＴ測定信号を複数回送信するためのコマンドを受信する、
［Ｃ６４］に記載の装置。
［Ｃ６６］
前記複数のＲＴＴ測定信号および前記ＲＴＴ応答信号は、低再利用リソース上で送信される、
［Ｃ５５］に記載の装置。
［Ｃ６７］
前記複数の基地局の各基地局は、前記各基地局によって送信された前記ＲＴＴ応答信号のペイロード中に、前記各基地局によって測定された前記ＲＴＴ測定信号の前記到着時間を含め、前記各基地局から受信された前記ＲＴＴ応答信号の前記送信時間と、前記各基地局によって測定された前記ＲＴＴ測定信号の前記到着時間とを表す、前記複数の基地局の前記各基地局のための前記情報を前記取得することを行うように構成された前記少なくとも１つのプロセッサは、前記各基地局から受信された前記ＲＴＴ応答信号を復調および復号することを行うように構成された前記少なくとも１つのプロセッサを備える、
［Ｃ５５］に記載の装置。
［Ｃ６８］
前記各基地局から受信された前記ＲＴＴ応答信号の前記送信時間と前記各基地局によって測定された前記ＲＴＴ測定信号の前記到着時間とを表す、前記複数の基地局のうちの前記各基地局のための前記情報を取得することを行うように構成された前記少なくとも１つのプロセッサは、前記ＵＥのためのサービング基地局から前記複数の基地局のうちの前記各基地局のための前記情報を受信することを行うように構成された前記少なくとも１つのプロセッサを備える、
［Ｃ５５］に記載の装置。
［Ｃ６９］
ユーザ機器（ＵＥ）のための複数のラウンドトリップ時間（ＲＴＴ）を決定するための装置であって
前記ＵＥに、ダウンリンクサブフレームの１つまたは複数のあらかじめ定義されたシンボルの間に、前記マスタノードによってサポートされるセル上でＲＴＴ測定信号を送ることと、
前記ＵＥから、複数のＲＴＴ測定信号の各々の前記ＵＥにおける到着時間を示す情報を受信すること、ここにおいて、前記複数のＲＴＴ測定信号は、前記ＲＴＴ測定信号と、複数の他のノードによって送信された複数の他のＲＴＴ測定信号とを備える、と、
前記ＵＥから、ＲＴＴ応答信号を受信することと
を行うように構成されたマスタノードの通信のための手段と、
前記ＲＴＴ応答信号の前記マスタノードにおける到着時間を取得することと、
前記ＲＴＴ応答信号の送信時間を取得することと
を行うように構成された前記マスタノードの処理のための手段と
を備え、
前記通信するための手段は、前記複数の他のノードから、前記ＵＥと前記複数の他のノードの各々との間のＲＴＴを示す情報を受信することを行うようにさらに構成され
前記処理するための手段は、前記ＲＴＴ測定信号の前記マスタノードにおける送信時間、前記複数のＲＴＴ測定信号の各々の前記ＵＥにおける前記到着時間を表す前記情報、前記ＲＴＴ応答信号の前記マスタノードにおける前記到着時間、前記ＲＴＴ応答信号の前記送信時間、前記ＵＥと前記複数の他のノードの各々との間の前記ＲＴＴを示す前記情報、および前記ＵＥのためのタイミング調整パラメータのうちの少なくとも１つに基づいて、前記ＵＥと前記マスタノードとの間および前記ＵＥと前記複数の他のノードの各々との間のＲＴＴの決定を可能にすることを行うようにさらに構成される、
装置。
［Ｃ７０］
ユーザ機器（ＵＥ）における複数のラウンドトリップ時間（ＲＴＴ）を決定するための装置であって、
複数の基地局に、ＲＴＴ測定信号を複数の基地局に送信すること、ここにおいて、前記複数の基地局の各基地局は、前記各基地局のダウンリンクサブフレームタイミングに対する前記ＲＴＴ測定信号の到着時間を測定する、と、
前記複数の基地局の各基地局から、前記各基地局によって送信されたＲＴＴ応答信号を受信することと
を行うように構成された前記ＵＥの通信のための手段と、
前記複数の基地局のうちの各基地局から受信された前記ＲＴＴ応答信号のための、前記ＵＥにおける到着時間を取得することと、
前記複数の基地局の各基地局から受信した前記ＲＴＴ応答信号の送信時刻と、前記各基地局が測定した前記ＲＴＴ測定信号の到着時刻とを表す、前記各基地局のための情報を取得することと、
前記ＲＴＴ測定信号の前記ＵＥにおける送信時間と、前記複数の基地局の前記各基地局から受信された前記ＲＴＴ応答信号のための前記ＵＥにおける前記到着時間と、前記各基地局から受信された前記ＲＴＴ応答信号の送信時間と前記各基地局によって測定された前記ＲＴＴ測定信号の前記到着時間とを表す前記複数の基地局の前記各基地局のための前記情報と、前記ＵＥのためのタイミング調整パラメータとに基づいて、前記ＵＥと前記複数の基地局の各基地局との間のＲＴＴを計算することと
を行うように構成された前記ＵＥの処理のための手段と
を備える、装置。
［Ｃ７１］
ユーザ機器（ＵＥ）のための複数のラウンドトリップ時間（ＲＴＴ）を決定するためのコンピュータ実行可能命令を記憶する非一時的コンピュータ可読媒体であって、前記コンピュータ実行可能命令は、
前記ＵＥに、ダウンリンクサブフレームの１つまたは複数のあらかじめ定義されたシンボル中に、マスタノードによってサポートされるセル上でＲＴＴ測定信号を送ることを行うように前記マスタノードに命令する少なくとも１つの命令と、
前記ＵＥから、複数のＲＴＴ測定信号の各々の前記ＵＥにおける到着時間を示す情報を受信することを行うように前記マスタノードに命令する少なくとも１つの命令、ここにおいて、前記複数のＲＴＴ測定信号は、前記ＲＴＴ測定信号と、複数の他のノードによって送信された複数の他のＲＴＴ測定信号とを備える、と
前記ＵＥから、ＲＴＴ応答信号を受信することを行うように前記マスタノードに命令する少なくとも１つの命令と、
前記ＲＴＴ応答信号の前記マスタノードにおける到着時間を取得することを行うように前記マスタノードに命令する少なくとも１つの命令と、
前記ＲＴＴ応答信号の送信時間を取得することを行うように前記マスタノードに命令する少なくとも１つの命令と、
前記複数の他のノードから、前記ＵＥと前記複数の他のノードの各々との間のＲＴＴを示す情報を受信することを行うように前記マスタノードに命令する少なくとも１つの命令と、
前記ＲＴＴ測定信号の前記マスタノードにおける送信時間、前記複数のＲＴＴ測定信号の各々の前記ＵＥにおける前記到着時間を表す前記情報、前記ＲＴＴ応答信号の前記マスタノードにおける前記到着時間、前記ＲＴＴ応答信号の前記送信時間、前記ＵＥと前記複数の他のノードの各々との間の前記ＲＴＴを示す前記情報、および前記ＵＥのためのタイミング調整パラメータのうちの少なくとも１つに基づいて、前記ＵＥと前記マスタノードとの間および前記ＵＥと前記複数の他のノードの各々との間のＲＴＴの決定を可能にすることを行うように前記マスタノードに命令する少なくとも１つの命令と
を備える、非一時的コンピュータ可読媒体。
［Ｃ７２］
ユーザ機器（ＵＥ）における複数のラウンドトリップ時間（ＲＴＴ）を決定するためのコンピュータ実行可能命令を記憶する非一時的コンピュータ可読媒体であって、前記コンピュータ実行可能命令は、
複数の基地局に、ＲＴＴ測定信号を複数の基地局に送信することを行うように前記ＵＥに命令する少なくとも１つのプロセッサ、ここにおいて、前記複数の基地局の各基地局は、前記各基地局のダウンリンクサブフレームタイミングに対する前記ＲＴＴ測定信号の到着時間を測定する、と、
前記複数の基地局の各基地局から、前記各基地局によって送信されたＲＴＴ応答信号を受信することを行うように前記ＵＥに命令する少なくとも１つの命令と、
前記複数の基地局のうちの各基地局から受信された前記ＲＴＴ応答信号のための、前記ＵＥにおける到着時間を取得することを行うように前記ＵＥに命令する少なくとも１つの命令と、
前記複数の基地局の各基地局から受信した前記ＲＴＴ応答信号の送信時刻と、前記各基地局が測定した前記ＲＴＴ測定信号の到着時刻とを表す、前記各基地局のための情報を取得することを行うように前記ＵＥに命令する少なくとも１つの命令と、
前記ＲＴＴ測定信号の前記ＵＥにおける送信時間と、前記複数の基地局の前記各基地局から受信された前記ＲＴＴ応答信号のための前記ＵＥにおける前記到着時間と、前記各基地局から受信された前記ＲＴＴ応答信号の送信時間と前記各基地局によって測定された前記ＲＴＴ測定信号の前記到着時間とを表す前記複数の基地局の前記各基地局のための前記情報と、前記ＵＥのためのタイミング調整パラメータとに基づいて、前記ＵＥと前記複数の基地局の各基地局との間のＲＴＴを計算することを行うように前記ＵＥに命令する少なくとも１つの命令と
を備える、非一時的コンピュータ可読媒体。